(57)【要約】【課題】毛先に櫛を通すように動作させるだけで、一部のみ毛が短くなることなく毛量を減少させ、かつ一定の長さに揃わずに自然にばらつきを持たせた毛先に仕上げることを可能とするヘアカッターを提供する。【解決手段】カッター本体１と、刃ブロック５と、刃ブロックの刃先を覆う一方で一部の毛を導入する複数の開口部１３を有した凸条部１２を有してスキ刈り刃としたスキ刈り手段と、を備えて、刃ブロックの各刃の間に毛を挟み込み、その挟み込んだ毛をスキ刈りするヘアカッターであって、刃ブロックの突出方向側に向かって伸びる複数の櫛片１５をブロック部７に有し、該櫛片が、前記刃ブロックのカット方向における凸条部１２の両側に設けられ、かつ、櫛片の基端部１５ａが刃ブロックの刃先よりも下方に位置する一方、該櫛片の先端部１５ｂが、刃ブロック５の刃先よりも突出している櫛部材６を備える。【選択図】図７
2008136782.tif 000002
【特許請求の範囲】
【請求項１】
カッター本体と、
互いに重ねて摺接する複数の櫛状刃と、
前記櫛状刃のうち少なくとも何れかの櫛状刃を往復動させる駆動手段と、
前記櫛状刃の刃先を覆う一方で一部の毛を導入する複数の開口部を有した凸条部を有してスキ刈り刃としたスキ刈り手段、又は、前記櫛状刃のうち少なくとも何れかの刃の刃先に一部の毛の導入を防止する導入防止部を有してスキ刈り刃としたスキ刈り手段と、
を備えて、前記櫛状刃の各刃の間に毛を挟み込み、その挟み込んだ毛をスキ刈りするヘアカッターであって、
前記櫛状刃の突出方向側に向かって伸びる複数の櫛片をブロック部に有し、該櫛片が、前記櫛状刃のカット方向における前記スキ刈り手段の両側に設けられ、かつ、前記櫛片の基端部が前記櫛状刃の刃先よりも下方に位置する一方、該櫛片の先端部が、前記櫛状刃の刃先よりも突出している櫛手段を備えた
ことを特徴とするヘアカッター。
【請求項２】
請求項１に記載のヘアカッターであって、
前記櫛片のそれぞれを、その先端部が全体として円弧を描くように前記ブロック部に配置した
ことを特徴とするヘアカッター。
【請求項３】
請求項１に記載のヘアカッターであって、
前記凸条部を有してスキ刈り刃としたスキ刈り手段が前記カッター本体に対して着脱可能とされ、かつ前記櫛手段が前記カッター本体に対して着脱可能とされた
ことを特徴とするヘアカッター。
【請求項４】
請求項１に記載のヘアカッターであって、
前記凸条部を有してスキ刈り刃としたスキ刈り手段と前記櫛手段が一体化された
ことを特徴とするヘアカッター。
【請求項５】
請求項１に記載のヘアカッターであって、
前記ブロック部の櫛片根元面に摩擦抵抗を高めた部材を配置した
ことを特徴とするヘアカッター。
【請求項６】
請求項５に記載のヘアカッターであって、
前記摩擦抵抗を高めた部材の頂部を、前記櫛片根元面より櫛片先端に近い方向に配置し、かつ前記櫛状刃の頂部より下に配置した
ことを特徴とするヘアカッター。
【請求項７】
請求項１から請求項６の何れか一つに記載のヘアカッターであって、
前記スキ刈り手段及び前記櫛手段の複数個が前記カッター本体に設けられた
ことを特徴とするヘアカッター。
【発明の詳細な説明】
【技術分野】
【０００１】
本発明は、スキ刈りを可能とするヘアカッターに関する。
【背景技術】
【０００２】
ヘアカッターは、モータ等の回転運動を往復運動に変換し、その往復運動を可動刃に伝達させ、該可動刃を固定刃に対して往復動させることにより、可動刃と摺接する櫛状の固定刃に導入された毛髪を切断するように構成されている。かかるヘアカッターにおいては、スキ刈りが可能なように構成されたものが提案されている（例えば、特許文献１など参照）。
【０００３】
図１８及び図１９には、スキ刈りを可能としたヘアカッターの一例を示す。スキ刈りを可能とするには、固定刃１００と可動刃１０１とからなる刃ブロック１０２を有したカッター本体１０３に、スキ刈りを可能とするためのスキ刈り用アタッチメント１０４を刃ブロック１０２を覆うように取り付ける。
【０００４】
スキ刈り用アタッチメント１０４は、カッター本体１０３に形成された保持穴１０５にフック１０６を嵌合させることで前記カッター本体１０３に固定される。このスキ刈り用アタッチメント１０４は、キャップ形状とされており、一定間隔で毛髪１０７の切断を抑制するカット保護部１０８と、毛髪１０７の切断を可能とする溝部１０９と、を先端部に有している。
【０００５】
前記溝部１０９に入り込んだ毛髪１０７は、固定刃１００と可動刃１０１によってカットされるが、カット保護部１０８に接触した毛髪１０７はカットされることなく保護される。したがって、このスキ刈りアタッチメント１０４を使用すれば、刃に接触した毛髪全てをカットすることなく、毛髪表面の擬似的なスキ刈りを可能とすることができる。
【特許文献１】特開昭５５−４７８８５号公報
【発明の開示】
【発明が解決しようとする課題】
【０００６】
しかし、図１８（Ｂ）に示すように、カット保護部１０８の厚みＴが極端に薄い為、スキ刈り用アタッチメント１０４を頭髪に対して押し付けすぎると、毛髪１０７の長さが極端に短くなり、最終的には前記カット保護部１０８の厚みＴと同じ長さにまで短くなってしまう。こうなると、スキ刈りアタッチメント１０４を使用していない部分と使用した部分との毛髪１０７の長さが大幅に異なってしまい、一部のみ毛髪１０７が短くなるいわゆる「穴あき」（ハゲ）状態が発生する。
【０００７】
また、このヘアカッターでは、頭頂部から生え際に向けて（上から下に撫で付けて）使用する構造上、カッター本体１０３と毛髪１０７が接触した部分にライン（カッター本体１０３が接触した箇所からカットを開始する為）が出てしまい、不自然な仕上りとなり易い。特に、髪の長い女性の場合、切断される毛の長さの割合が高くなり、やはり、一部のみ毛が短くなり、不自然な仕上がりとなる。
【０００８】
そこで、本発明は、このような従来の課題を解決するものであり、毛先に櫛を通すように動作させるだけで、一部のみ毛が短くなることなく毛量を減少させ、かつ一定の長さに揃わずに自然にばらつきを持たせた毛先に仕上げることを可能とするヘアカッターを提供することを目的とする。
【課題を解決するための手段】
【０００９】
請求項１に記載の発明は、上記目的を達成するために、カッター本体と、互いに重ねて摺接する複数の櫛状刃と、前記櫛状刃のうち少なくとも何れかの櫛状刃を往復動させる駆動手段と、前記櫛状刃の刃先を覆う一方で一部の毛を導入する複数の開口部を有した凸条部を有してスキ刈り刃としたスキ刈り手段、又は、前記櫛状刃のうち少なくとも何れかの刃の刃先に一部の毛の導入を防止する導入防止部を有してスキ刈り刃としたスキ刈り手段と、を備えて、前記櫛状刃の各刃の間に毛を挟み込み、その挟み込んだ毛をスキ刈りするヘアカッターであって、前記櫛状刃の突出方向側に向かって伸びる複数の櫛片をブロック部に有し、該櫛片が、前記櫛状刃のカット方向における前記スキ刈り手段の両側に設けられ、かつ、前記櫛片の基端部が前記櫛状刃の刃先よりも下方に位置する一方、該櫛片の先端部が、前記櫛状刃の刃先よりも突出している櫛手段を備えたことを特徴とする。
【００１０】
請求項２に記載の発明は、請求項１に記載のヘアカッターであって、前記櫛片のそれぞれを、その先端部が全体として円弧を描くように前記ブロック部に配置したことを特徴とする。
【００１１】
請求項３に記載の発明は、請求項１に記載のヘアカッターであって、前記凸条部を有してスキ刈り刃としたスキ刈り手段が前記カッター本体に対して着脱可能とされ、かつ前記櫛手段が前記カッター本体に対して着脱可能とされたことを特徴とする。
【００１２】
請求項４に記載の発明は、請求項１に記載のヘアカッターであって、前記凸条部を有してスキ刈り刃としたスキ刈り手段と前記櫛手段が一体化されたことを特徴とする。
【００１３】
請求項５に記載の発明は、請求項１に記載のヘアカッターであって、前記ブロック部の櫛片根元面に摩擦抵抗を高めた部材を配置したことを特徴とする。
【００１４】
請求項６に記載の発明は、請求項５に記載のヘアカッターであって、前記摩擦抵抗を高めた部材の頂部を、前記櫛片根元面より櫛片先端に近い方向に配置し、かつ前記櫛状刃の頂部より下に配置したことを特徴とする。
【００１５】
請求項７に記載の発明は、請求項１から請求項６の何れか一つに記載のヘアカッターであって、前記スキ刈り手段及び前記櫛手段の複数個が前記カッター本体に設けられたことを特徴とする。
【発明の効果】
【００１６】
請求項１に記載のヘアカッターによれば、毛の根元から毛先方向に櫛を通すように動作させるだけで、極端に一部の毛が短くなることなく、毛量を減少させ、かつ一定の長さに揃わずに自然にばらつきを持たせた毛先に仕上げることができる。櫛を通す動作により、カットポイントが常に移動することと、理容師本来のスキ刈り（毛髪の表面をカットするのではなく起毛させて内側の毛髪をカットする）方法を取り入れ、動作方向を頭頂部方向に（下から上にかきあげる）変更しても、毛髪表面にラインが出にくく、よりプロの理容師に近い仕上がり（全体の髪型を大きく変えることなく、毛量を間引く「スキ刈り」）を失敗することなく達成することができる。
【００１７】
請求項２に記載のヘアカッターによれば、先端部が全体として円弧を描くように櫛片のそれぞれをブロック部に配置させたので、手の回動動作でカッター本体を回動させるだけで、容易に毛髪に張力をかけてスキ刈り刃に毛の導入を促すことができる。
【００１８】
請求項３に記載のヘアカッターによれば、スキ刈り手段がカッター本体から着脱できるので、スキ刈りをする必要のないときにはスキ刈り手段を外して、櫛状刃で髪をすくことなく通常のカットが行える。したがって、本発明のヘアカッターによれば、スキ刈りと本来のカットの切り替えが可能となる。
【００１９】
請求項４に記載の発明によれば、スキ刈り手段と櫛手段を一体化しているので、部品点数を削減することができる。
【００２０】
請求項５に記載の発明によれば、櫛片を配置させたブロック部の櫛片根元面に摩擦抵抗を高めた部材を配置したので、この部材が抵抗となって毛髪に張力を掛け、スキ刈り刃に毛の導入を促すことができる。
【００２１】
請求項６に記載の発明によれば、摩擦抵抗を高めた部材の頂部を、櫛片根元面より櫛片先端に近い方向に配置し、かつ櫛状刃の頂部より下に配置したので、毛の切断を妨げることなく、より一層毛髪に張力を掛けることができ、スキ刈り刃に毛の導入を促すことができる。
【００２２】
請求項７に記載の発明によれば、スキ刈り手段及び櫛手段の複数個をカッター本体に設けたので、切断ラインを複数有することにより単刃の場合よりも一定の長さに揃わずに、少ない回数で自然なばらつきを持たせた毛先に仕上げることができる。
【発明を実施するための最良の形態】
【００２３】
以下、本発明を適用した具体的な実施の形態について図面を参照しながら詳細に説明する。
【００２４】
「実施形態１」
図１は実施形態１のヘアカッターを示し、カッター本体を一方から見たときの斜視図、図２は実施形態１のヘアカッターを示し、カッター本体を他方から見たときの斜視図、図３は実施形態１のカッター本体に着脱可能とされるスキ刈り手段が一体化された櫛手段の斜視図、図４は実施形態１のカッター本体に着脱可能とされるスキ刈り手段が一体化された櫛手段の平面図、図５は実施形態１のヘアカッターを示し、スキ刈り手段が一体化された櫛手段をカッター本体に装着途中の状態を示す斜視図、図６は実施形態１のヘアカッターを示し、スキ刈り手段が一体化された櫛手段をカッター本体に装着完了させた状態を示す斜視図、図７は図６の拡大正面図、図８は実施形態１のヘアカッターを使用してスキ刈りする使用例を示す図、図９（Ａ）は毛髪に張力が掛からない例を示す図、（Ｂ）は毛髪に張力が掛かる例を示す図である。
【００２５】
ヘアカッターは、図１から図７に示すように、カッター本体１と、このカッター本体１の動作を入り切りするスイッチハンドル２と、互いに重ねて摺接する櫛状刃である固定刃３及び可動刃４を組み合わせた刃ブロック５と、スキ刈りを可能とするスキ刈り手段を一体化した櫛手段である櫛部材６と、を備えている。
【００２６】
カッター本体１には、固定刃３に対して可動刃４を左右方向に往復運動させるためのモータ等による駆動手段（図示は省略する）が設けられている。スイッチハンドル２をスライドさせてスイッチをオンすると、前記駆動手段が作動し、モータの回転運動を往復運動に変換して前記可動刃４を前記固定刃３に対して左右方向に揺動させる。このとき、固定刃３と可動刃４の各刃との間に毛髪或いは体毛が入り込むことで、これら毛髪または体毛（体毛には、人間または人間以外の動物の物も含む）がカット（切断）される。本実施の形態では、毛髪をカットする例として説明することとする。
【００２７】
刃ブロック５は、鋸状とされた固定刃３と、同じく鋸状とされた可動刃４と、から構成されている。固定刃３は、カッター本体１に固定されており、可動刃４は、固定刃３に対して左右方向に往復動するようにカッター本体１に取り付けられている。実施形態１では、固定刃３と可動刃４は、何れも長手方向に所定ピッチで先端が尖った山型状の刃を複数形成した櫛状刃とされている。
【００２８】
櫛部材６は、カッター本体１の先端部に装着されるブロック部７を有している。ブロック部７には、カッター本体１の先端部である刃ブロック５をその内部に挿入収容させる収容部８が形成されている。そして、この収容部８の一方の内壁面８ａには、カッター本体１に対してブロック部７が軸周りに回転することを防止する回転防止片９が設けられている。回転防止片９は、収容部８の開口から内部の奥へと向かって延びる舌片形状として形成されている。かかる回転防止片９は、カッター本体１に設けられた溝部１０に挿入係合されることで、前記ブロック部７のカッター本体１に対する軸周り方向への回転を阻止する。なお、この溝部１０は、カッター本体１の側面から突出する平面視略コ字状の突片１１に形成されている。
【００２９】
ブロック部７の天面中央部には、スキ刈り手段が設けられている。スキ刈り手段は、ブロック部７の円弧形状とされた天面７ａの中央部分を断面視逆Ｖ字状に上方へ向けて突出させた凸条部１２として形成されている。この凸条部１２は、刃ブロック５が設けられた位置に対応して形成され、該刃ブロック５を構成する固定刃３及び可動刃４とは接触しないようにされている。そして、この凸条部１２には、刃ブロック５の刃先を覆う一方で一部の毛を刃ブロック５へと導入させる開口部１３と、毛の導入を防止する導入防止部１４とが交互に形成されている。開口部１３は、平面視略ひし形状に形成され、一部の毛のみをその内部に導入させる。
【００３０】
また、ブロック部７の天面７ａには、刃ブロック５のカット方向（図７矢印Ａ方向と矢印Ｂ方向）における凸条部１２の両側に複数の櫛片１５が設けられている。櫛片１５は、基端部１５ａから先端部１５ｂに行くに従って先細りとなる細長い円錐体として形成され、カットする前に髪を整える役目及び地肌から刃ブロック５までの距離を一定に保持する役目をする。かかる櫛片１５は、基端部１５ａが刃ブロック５の刃先よりも下方に位置すると共に、先端部１５ｂが刃ブロック５の刃先よりも突出している。また、櫛片１５のそれぞれは、その先端部１５ｂが全体として円弧を描くように前記ブロック部７の天面７ａに設けられている。
【００３１】
また、ブロック部７の天面７ａには、毛髪に張力を掛けて凸条部１２に形成した開口部１３に毛の導入を促す作用をする摩擦抵抗を高めたゴム部材１６が設けられている。ゴム部材１６は、ブロック部７のカット方向両側縁にその長手方向に沿って形成されると共に、その頂部１６ａを、櫛片根元面より櫛片先端に近い方向に配置し、かつ刃ブロック５の頂部より下に配置されている。
【００３２】
以上のように構成されたヘアカッターを使用してスキ刈りを行うには、スイッチハンドル２をオン側にスライドさせて駆動手段を駆動させる。そして、スキ刈り手段（凸条部１２）をブロック部７に一体化させた櫛部材６を、図８に示すように任意のカット希望位置からカッター本体１を毛髪１７に内部から接触させ、手首の動作に合わせて毛先方向へと回動させる。すると、櫛片１５により毛髪１７が整毛されると共に、図９（Ｂ）に示すようにゴム部材１６により毛髪１７に張力が掛かり、凸条部１２へと毛髪１７が導かれる。ゴム部材１６が無い場合は、図９（Ａ）に示すように、毛髪１７には張力が掛からず、毛髪１７をスキ刈り刃である凸条部１２へ導くことができない。
【００３３】
凸条部１２へと毛髪１７が導かれると、一部の毛髪１７は開口部１３に導入されその奥に設けられた刃ブロック５の固定刃３と可動刃４によりカットされ、導入防止部１４に接触した毛髪１７は切断されない。このように、毛髪１７の毛先に櫛片１５を通すように動作させるだけで、一部のみ毛が短くなることなく毛量を減少させ、かつ一定の長さに揃わずに自然にばらつきを持たせた毛先に仕上げることが可能となる。
【００３４】
また、本実施形態のヘアカッターによれば、櫛片１５のそれぞれをその先端部１５ｂが全体として円弧を描くようにブロック部７に配置したので、カッター本体１の回動動作を促し、手の回動動作で容易に毛髪１７に張力を掛けてスキ刈り刃（凸条部１２）へ毛髪１７を導くことができる。
【００３５】
また、本実施形態のヘアカッターによれば、ブロック部７の天面７ａにゴム部材１６を設けたので、このゴム部材１６によって毛髪１７に張力を掛けることができ、スキ刈り刃に毛髪１７を導くことができる。
【００３６】
また、本実施形態のヘアカッターによれば、ゴム部材１６の頂部１６ａを櫛片根元面より櫛片先端に近い方向に配置し、かつ刃ブロック５の頂部より下に配置したので、スキ刈り刃（凸条部１２）への毛髪１７の導入を損なうことなく、該毛髪１７に張力を掛けて刃ブロック５へ毛髪１７の導入を促すことができる。
【００３７】
また、本実施形態のヘアカッターによれば、櫛部材６を取り外すせば、スキ刈りではなく通常のバリカンとして使用することができる。
【００３８】
「実施形態２」
図１０は実施形態２のヘアカッターを示し、共に別部品としたスキ刈り手段と櫛手段のうちスキ刈り手段をカッター本体に装着させた状態を示す斜視図、図１１は実施形態２のヘアカッターを示し、櫛手段をカッター本体に装着させた状態を示す斜視図、図１２は実施形態２のスキ刈り手段を刃ブロックに装着する前の状態を示す斜視図である。
【００３９】
実施形態２のヘアカッターは、図１０及び図１１に示すように、スキ刈り手段である凸条部１２と櫛手段である櫛部材６とをそれぞれ別部材として構成している。この凸条部１２には、図１２に示すように、実施形態１と同じく開口部１３と導入防止部１４とが交互に形成されており、また、カッター本体１に設けられた係合突起１８と係合する係合凹部１９及び係合突条２０と係合する係合凹条部２１とが形成されている。
【００４０】
係合突起１８は、半球体形状として形成され、前記刃ブロック５を挟んで一方のカッター本体１の先端側部に突設されている。係合凹部１９は、この係合突起１８を嵌合させる半球体形状の凹みとして形成されている。係合突条２０は、断面略凸状の突起として形成され、前記刃ブロック５を挟んで他方のカッター本体１の先端側部に突設されている。
【００４１】
櫛部材６のブロック部７には、前記凸条部１２を挿入させるスライド溝部２２がその中央部分に形成されている。このスライド溝２２には、カッター本体１の刃ブロック５を覆って装着された凸条部１２が嵌入される。
【００４２】
本実施形態２のヘアカッターによれば、図１０に示したように凸条部１２のみをカッター本体１に装着することで、従来通り毛髪１７の表面を撫でてカットするヘアカットが行える。このとき、凸条部１２は、前記係合凹部１９が係合突起１８に係合し且つ前記係合突条２０が係合凹条部２１に係合していることで、カッター本体１から脱落することはない。
【００４３】
また、本実施形態２のヘアカッターによれば、櫛部材６を図１１で示したように装着することで、櫛片１５で整毛しながら毛髪１７に張力を掛けて実施形態１と同様のスキ刈りを行うことができる。
【００４４】
「実施形態３」
図１３は実施形態３のヘアカッターを示し、固定刃に導入防止部を形成してスキ刈り刃とし、そのスキ刈り刃を備えたカッター本体に櫛部材を装着させる状態を示す斜視図、図１４は実施形態３のヘアカッターにおける刃ブロックの要部拡大図である。
【００４５】
実施形態３のヘアカッターは、図１３及び図１４に示すように、実施形態２とは異なり、スキ刈り手段である凸条部１２の代わりに刃ブロック５自体をスキ刈り刃とした例である。櫛部材６の構成は、実施形態２と同一である。
【００４６】
この実施形態３の刃ブロック５は、可動刃４の形状を前記した実施形態１及び２と同一の形状としているが、固定刃３の形状を異にしている。すなわち、実施形態３の刃ブロック５における固定刃３には、毛の導入を防止する導入防止部２３が形成されている。導入防止部２３は、刃先の先端部を平坦面として形成し、この平坦面に接触する毛髪は可動刃４により切断しないようになっている。
【００４７】
本実施形態３のヘアカッターによれば、刃ブロック５自体がスキ刈り刃とされているため、実施形態２におけるような凸条部１２を使用することなく従来通りのスキ刈りが行え、櫛部材６を装着することで実施形態１と同様、櫛片１５で毛髪１７を整えながら張力を掛けスキ刈り刃に毛髪１７を導いて本発明によるカットをすることができる。
【００４８】
「実施形態４」
図１５は実施形態４のヘアカッターを示し、スキ刈り手段及び櫛手段の複数個がカッター本体に装着される前の状態を示す斜視図、図１６は実施形態４のヘアカッターを示し、スキ刈り手段及び櫛手段の複数個がカッター本体に装着された状態を示す斜視図、図１７は図１６の拡大正面図である。
【００４９】
この実施形態４のヘアカッターは、固定刃３及び可動刃４からなる刃ブロック５をカッター本体１に２個有しており、その各刃ブロック５をそれぞれ覆うように装着されるスキ刈り手段である凸条部１２をブロック部７に２つ形成した櫛部材６を有している。刃ブロック５は、カッター本体１の先端側に並列に２つ設けられている。この刃ブロック５の構成は、実施形態１の刃ブロック５と同一構成のものである。凸条部１２は、やはり刃ブロック５と同じく実施形態１の凸条部１２と同一構成のものであり、複数の櫛片１５を有した大型のブロック部７に設けられたものである。
【００５０】
実施形態４のヘアカッターによれば、２つのスキ刈り刃（凸条部１２）を持つので、素早くスキ刈りを行うことができると共に、切断ポイントが複数存在することにより、１つのスキ刈り刃の場合に比して毛髪の長さをより一層不均一なものとすることができる。
【図面の簡単な説明】
【００５１】
【図１】実施形態１のヘアカッターを示し、カッター本体を一方から見たときの斜視図である。
【図２】実施形態１のヘアカッターを示し、カッター本体を他方から見たときの斜視図である。
【図３】実施形態１のカッター本体に着脱可能とされるスキ刈り手段が一体化された櫛手段の斜視図である。
【図４】実施形態１のカッター本体に着脱可能とされるスキ刈り手段が一体化された櫛手段の平面図である。
【図５】実施形態１のヘアカッターを示し、スキ刈り手段が一体化された櫛手段をカッター本体に装着途中の状態を示す斜視図である。
【図６】実施形態１のヘアカッターを示し、スキ刈り手段が一体化された櫛手段をカッター本体に装着完了させた状態を示す斜視図である。
【図７】図６の拡大正面図である。
【図８】実施形態１のヘアカッターを使用してスキ刈りする使用例を示す図である。
【図９】図９（Ａ）は毛髪に張力が掛からない例を示す図、（Ｂ）は毛髪に張力が掛かる例を示す図である。
【図１０】実施形態２のヘアカッターを示し、共に別部品としたスキ刈り手段と櫛手段のうちスキ刈り手段をカッター本体に装着させた状態を示す斜視図である。
【図１１】実施形態２のヘアカッターを示し、櫛手段をカッター本体に装着させた状態を示す斜視図である。
【図１２】実施形態２のスキ刈り手段を刃ブロックに装着する前の状態を示す斜視図である。
【図１３】実施形態３のヘアカッターを示し、固定刃に導入防止部を形成してスキ刈り刃とし、そのスキ刈り刃を備えたカッター本体に櫛部材を装着させる状態を示す斜視図である。
【図１４】実施形態３のヘアカッターにおける刃ブロックの要部拡大図である。
【図１５】実施形態４のヘアカッターを示し、スキ刈り手段及び櫛手段の複数個がカッター本体に装着される前の状態を示す斜視図である。
【図１６】実施形態４のヘアカッターを示し、スキ刈り手段及び櫛手段の複数個がカッター本体に装着された状態を示す斜視図である。
【図１７】図１６の拡大正面図である。
【図１８】従来のヘアカッターの一例を示し、（Ａ）はスキ刈りを可能とするスキ刈り用アタッチメントをカッター本体に装着したヘアカッターの斜視図、（Ｂ）は毛髪をカットしている状態を示す図である。
【図１９】従来のヘアカッターの一例を示し、（Ａ）はスキ刈り用アタッチメントの正面図、（Ｂ）はヘアカッターの先端部分を示す要部拡大斜視図である。
【符号の説明】
【００５２】
１…カッター本体
２…スイッチハンドル
３…固定刃
４…可動刃
５…刃ブロック
６…櫛部材（櫛手段）
７…ブロック部
１２…凸条部（スキ刈り手段）
１３…開口部
１４、２３…導入防止部
１５…櫛片
１６…ゴム部材（摩擦抵抗を高めた部材）
１７…毛髪
【図１】
2008136782.tif 000003
【図２】
2008136782.tif 000004
【図３】
2008136782.tif 000005
【図４】
2008136782.tif 000006
【図５】
2008136782.tif 000007
【図６】
2008136782.tif 000008
【図７】
2008136782.tif 000009
【図８】
2008136782.tif 000010
【図９】
2008136782.tif 000011
【図１０】
2008136782.tif 000012
【図１１】
2008136782.tif 000013
【図１２】
2008136782.tif 000014
【図１３】
2008136782.tif 000015
【図１４】
2008136782.tif 000016
【図１５】
2008136782.tif 000017
【図１６】
2008136782.tif 000018
【図１７】
2008136782.tif 000019
【図１８】
2008136782.tif 000020
【図１９】
2008136782.tif 000021